(57)【要約】【課題】一部の機器の動作を一時的に無効にできるようにしつつ、すべての機器の動作を無効にできるようにするとともに、受信装置に送信装置を登録する動作と、機器の動作を無効にする動作とを明確に区別できるようにする。【解決手段】入／切を視認可能な受信装置スイッチ１２が入状態である場合に、受信装置１０は送信装置１から送信された呼出信号を受信とし、切状態である場合に呼出信号を受信できないようにする。また、登録モード／通常モードを視認可能な送信装置スイッチ４が登録側である場合に、送信装置ボタン５が押下されたときには送信装置１は登録信号を送信し、通常側である場合に送信装置ボタン５が押下されたときには送信装置１は呼出信号が送信されることを一時的に停止するようにしている。また、受信装置１０は、受信装置ボタン１３が押下された場合に送信装置１から登録信号を受信すると、この送信装置１を登録するようにしている。【選択図】図１
2011176778.tif 000002
【特許請求の範囲】
【請求項１】
病室内に設置され、患者の状態を検出して呼出信号を出力する機器と、
前記呼出信号を入力することにより報知を行うナースコール親機と、
前記病室内に設置され、前記ナースコール親機と有線接続されたユニットと、
前記機器と有線接続され、前記機器から出力された呼出信号を入力して外部に送信する送信装置と、
前記送信装置を登録し、登録された送信装置から送信された呼出信号を受信して、前記ユニットを介して前記ナースコール親機に前記呼出信号を出力する受信装置とを備えたナースコールシステムであって、
前記受信装置が、第一の状態と第二の状態との違いを視認可能とする受信装置スイッチと、送信装置を登録する際に押下される受信装置ボタンと、登録された送信装置から送信された呼出信号および送信装置から出力された登録信号を受信する受信部と、その受信部が受信した呼出信号を前記ユニットに出力する受信装置インターフェースと、前記受信装置スイッチが前記第一の状態である場合に前記受信部を動作させ、前記第二の状態である場合に前記受信部を動作させないようにするとともに、前記受信装置ボタンが押下された場合に前記受信部が前記登録信号を受信したときには、受信した登録信号を送信した前記送信装置を登録する受信装置制御部とを備え、前記送信装置が、第一の状態と第二の状態との違いを視認可能とする送信装置スイッチと、送信装置ボタンと、前記機器から呼出信号を入力する送信装置インターフェースと、自装置を他の送信装置と識別するための識別情報を含む登録信号を生成する登録信号生成部と、前記送信装置インターフェースが呼出信号を入力した場合にこの呼出信号を外部に送信し、前記登録信号生成部が生成した登録信号を外部に送信する送信部と、前記送信装置スイッチが第一の状態である場合に前記送信装置ボタンが押下されたときには、前記送信部に前記登録信号を送信させるとともに、前記送信装置スイッチが第二の状態である場合に前記送信装置ボタンが押下されたときには、前記送信部が前記呼出信号を送信することを一時的に停止させる送信装置制御部とを備えたことを特徴とするナースコールシステム。
【発明の詳細な説明】
【技術分野】
【０００１】
本発明は、ナースコールシステムに関し、特に、医療従事者を呼び出すための機器を無線式としたナースコールシステムに関する。
【背景技術】
【０００２】
一般に、病院や介護施設などでは、ナースコールシステムが用いられている。ナースコールシステムは、病院の患者が看護師のサポートを必要とする際、または介護施設の被介護者が介護師のサポートを必要とする際に、患者や被介護者（以下、患者と記載する）がナースコール子機の呼出操作部を操作することによって看護師や介護師（以下、医療従事者と記載する）を呼び出すことができるように成されたシステムである。
【０００３】
多くのナースコールシステムは、病室のベッド近傍やトイレ、浴室などに設置されるナースコール子機と、ナースステーションに設置されるナースコール親機と、病室や介護室等の各部屋の入口付近に設置される廊下灯と、通話やデータの送受信に関する制御を行う制御機とを備えて構成されている。また、上述した構成に加えて、医療従事者が携行する携帯端末（例えば、ＰＨＳ（Personal Handy phone System）端末など）とＰＢＸ（Private Branch Exchange：電話交換機）とを備えたナースコールシステムも提供されている。
【０００４】
このようなナースコールシステムは、患者がナースコール子機の呼出操作部を操作した場合に、ナースコール子機からナースコール親機へ呼出信号を出力し、呼出信号を入力したナースコール親機にて呼び出しを報知するように構成されている。
【０００５】
ところで、ナースコール子機とナースコール親機との間の通信を無線にて行うナースコールシステムが知られている（例えば、特許文献１など）。このナースコールシステムは病院内に設置されるため、無線の電波が他の医療機器などへ及ぼす影響や無線による通信の確実性などを考慮して、ナースコール子機とナースコール親機とを無線により直接接続せずに、病室内の壁面に設置されているウォールユニットに受信装置を有線接続し、ナースコール子機に送信装置を接続して、送信装置と受信装置との間でのみ無線通信を行うようにしている。また、特許文献１に記載のナースコールシステムでは、センサーなどの機器や握りスイッチにそれぞれ取り付けられている複数の送信装置からの呼出信号を一つの受信装置で受信するようにしている。
【０００６】
ナースコールシステムでは、呼び出しを行った患者や患者が呼び出しを行った場所を特定する必要があるため、受信装置は各患者のベッドの近傍や病室内の所定の場所に設置され、その設置場所を設定しておくことで、呼び出しを行った患者のベッド番号や病室番号などを特定することができる。ここで、送信装置から送信された呼出信号を他の病室に設置されている受信装置が受信しないように、送信装置を特定の受信装置に登録する必要がある。また、送信装置に設けられた登録ボタンと受信装置に設けられた登録ボタンとを同時に押下したり、受信装置に設けられた登録ボタンを押下してから所定の時間が経過する前に送信装置に設けられた登録ボタンを押下したりすることで、送信装置を特定の受信装置に登録する技術が知られている（例えば、特許文献２など）。
【０００７】
ところで、患者のベッド近傍に設置されるマットセンサーやベッド上に設置されるベッドセンサー、離床を検知する赤外線センサーなどの機器が使用される場合、医療従事者が看護を行うときには、センサーなどの機器の誤検知を防ぐために機器の動作を無効とすることが好ましい。そのため、送信装置にセンサーの動作を一時的に無効とするための一時停止ボタンを設けることが考えられる。しかしながら、送信装置に一時停止ボタンを設けた場合、一部の機器の動作を無効にするときには、対象となる送信装置の一時停止ボタンを押下すれば良いが、一時停止ボタンによって機器の動作が無効とされる時間が限られているため、多数の機器を無効にする際には、医療従事者が一時停止ボタンの押下に手間取っていると、初期に操作した送信装置の無効状態が解除されてしまうという問題があった。そのため、受信装置に登録されているすべての送信装置からの呼出信号の受信や受信装置から呼出信号が出力されることを一時的に無効とする一時停止ボタンを受信装置に設けることが考えられる。
【先行技術文献】
【特許文献】
【０００８】
【特許文献１】特開２００８−７３４８０号公報
【特許文献２】特開２００８−８５９５９号公報
【発明の概要】
【発明が解決しようとする課題】
【０００９】
しかしながら、上述した従来技術では、送信装置および受信装置に登録ボタンを設け、送信装置または受信装置に一時停止ボタンを設ける構成となっているため、受信装置に送信装置を登録する際に一時停止ボタンを誤って押下してしまったり、一時停止ボタンを押下するつもりで登録ボタンを誤って押下してしまったりするケースが生じるという問題があった。
【００１０】
本発明は、このような問題を解決するために成されたものであり、ナースコールシステムに接続される複数の機器のうち、一部の機器の動作を一時的に無効にできるようにしつつ、複数の機器のすべての動作を無効にできるようにするとともに、医療従事者が受信装置に送信装置を登録する動作と、機器の動作を無効にする動作とを明確に区別して実施することができるようにすることを目的とする。
【課題を解決するための手段】
【００１１】
上述した課題を解決するために、本発明では、ナースコール親機に有線接続された病室内のユニットに接続され、登録された送信装置から送信された呼出信号を受信してユニットを介してナースコール親機に出力する受信装置と、病室内で使用される機器に有線接続され、これらの機器からの呼出信号を無線にて送信する送信装置とを備える。そして、受信装置は、第一の状態と第二の状態との違いを視認可能な受信装置スイッチが第一の状態である場合に送信装置から送信された呼出信号を出力可能とし、第二の状態である場合に送信装置から送信された呼出信号を出力できないようにする。また、送信装置は、第一の状態と第二の状態との違いを視認可能な送信装置スイッチが第一の状態である場合に送信装置ボタンが押下されたときには登録信号を送信し、第二の状態である場合に送信装置ボタンが押下されたときには送信装置から呼出信号が送信されることを一時的に停止するようにしている。また、受信装置は、受信装置ボタンが押下された場合に送信装置から登録信号を受信すると、この送信装置を登録するようにしている。
【発明の効果】
【００１２】
上記のように構成した本発明によれば、送信装置スイッチを第二の状態にして送信装置ボタンを押下すると、この送信装置に接続された機器から入力した呼出信号の送信が一時的に止められるので、複数の機器のうち、所望の機器が接続されている送信装置の送信装置ボタンを押下すれば、一部の機器の動作を一時的に無効にすることができる。また、受信装置スイッチを第二の状態にすると、受信装置から呼出信号が出力されなくなるので、この受信装置に登録されている送信装置に接続されているすべての機器の動作を無効にすることができる。また、受信装置では、機器の動作を無効にする動作と機器の動作を有効とする動作とが受信装置スイッチの状態によって容易に区別される。また、送信装置では、機器の動作を一時的に無効にする動作を行うためのモードと機器の動作を有効にして送信装置を受信装置に登録するためのモードとが送信装置スイッチの状態によって容易に区別される。また、機器の動作を無効にする動作については、受信装置スイッチと送信装置スイッチとが同じ状態になる。従って、医療従事者が機器の動作を無効にする動作と受信装置に送信装置を登録する動作とを明確に区別して実施することができる。
【図面の簡単な説明】
【００１３】
【図１】本実施形態によるナースコールシステムの構成例を示すブロック図である。
【図２】本実施形態によるナースコールシステムに使用される送信装置および受信装置の外観例を示す図である。
【図３】本実施形態によるナースコールシステムの動作例を示す図である。
【発明を実施するための形態】
【００１４】
以下、本発明の一実施形態を図面に基づいて説明する。図１は、本実施形態によるナースコールシステムの構成例を示すブロック図である。図１において、Ｓはセンサーなどの機器であり、患者のベッドの近傍などに設置され、患者の特定の状態を検出すると呼出信号を出力する。また、１は送信装置であり、機器Ｓが有線にて接続されている。ここで、送信装置１は、送信装置制御部２、送信装置インターフェース３、送信装置スイッチ４、送信装置ボタン５、登録信号生成部６、送信部７を備えて構成されている。なお、送信装置１には、機器Ｓのほかに通常のナースコール子機（図示せず）を接続するようにしても良い。
【００１５】
また、１０は受信装置であり、後述するウォールユニットＷに有線にて接続されており、送信装置１と無線で接続される。ここで、受信装置１０は、受信装置制御部１１、受信装置スイッチ１２、受信装置ボタン１３、受信部１４、受信装置インターフェース１５を備えて構成されている。また、受信装置１０は、複数の送信装置１を無線で接続することが可能である。ウォールユニットＷは、患者のベッドの近傍の壁面などに設置されており、後述するナースコール親機２０に有線にて接続されている。
【００１６】
また、２０はナースコール親機であり、医療従事者が常駐するナースステーションなどに設置され、医療従事者によって使用される。ここで、ナースコール親機２０は、親機制御部２１、親機インターフェース２２、記憶部２３、報知部２４を備えて構成されている。そして、ウォールユニットＷとナースコール親機２０との間には、廊下灯や制御機（ともに図示せず）が接続されている。廊下灯は、病室内の患者の氏名を表示するとともに、病室内の患者が呼び出しを行った場合、または、病室内の機器Ｓが患者の特定の状態を検出した場合に呼び出しが行われたことを表示する。また、制御機は、ウォールユニットＷとナースコール親機２０との通信の制御を行う。
【００１７】
送信装置制御部２は、送信装置１の各構成要素を後述するように制御するためのものであり、ＣＰＵ（Central Processing Unit）などにより構成されている。また、送信装置制御部２は、後述するカウンター機能を有している。送信装置インターフェース３は、有線にて接続されている機器Ｓと送信装置１とを接続して通信を行うためのものである。ここで、送信装置インターフェース３は、機器Ｓから出力された呼出信号を入力する。
【００１８】
送信装置スイッチ４は、図２に示すように、登録モードを示す第一の状態と通常モードを示す第二の状態とを視認可能に切り替えることができるスイッチにより構成されている。具体的には、送信装置スイッチ１は、スライドスイッチやトグルスイッチ、シーソースイッチなどで構成される。送信装置ボタン５は、図２に示すように、押しボタンにより構成されている。ここで、送信装置ボタン５は、機器Ｓから入力した呼出信号の外部への送信を一時的に停止する際、または、送信装置１を受信装置１０に登録する際に操作される。
【００１９】
登録信号生成部６は、送信装置１を受信装置１０に登録するための登録信号を生成するためのものである。ここで、登録信号には、送信装置１を他の送信装置１と区別するための識別情報が含まれる。送信装置スイッチ４が登録モード側に切り替えられている状態で、送信装置ボタン５が押下されると、送信装置制御部２は、登録信号生成部６を動作させ、登録信号生成部６は登録信号を生成する。
【００２０】
送信部７は、機器Ｓから入力した呼出信号や登録信号生成部６により生成された登録信号を外部に送信するためのものである。送信装置スイッチ４が登録モード側であっても通常モード側であっても、機器Ｓから送信装置インターフェース３が呼出信号を入力した場合には、送信装置制御部２は送信部７を制御して呼出信号を送信させる。一方、送信装置スイッチ４が通常モード側であり、送信装置ボタン５が押下されている場合に、送信装置制御部２は、内蔵しているカウンターによるカウントを開始し、所定の時間（例えば、５分間）が経過するまで、機器Ｓから送信装置インターフェース３が呼出信号を入力しても、送信部７に呼出信号を送信させないように制御する。
【００２１】
受信装置制御部１１は、受信装置１０の各構成要素を後述するように制御するためのものであり、ＣＰＵなどにより構成されている。受信装置スイッチ１２は、図２に示すように、呼出信号の受信を可能とする入状態を示す第一の状態と呼出信号の受信を不可とする切状態を示す第二の状態とを視認可能に切り替えることができるスイッチにより構成されている。具体的には、受信装置スイッチ１２も、スライドスイッチやトグルスイッチ、シーソースイッチなどで構成される。受信装置ボタン１３は、図２に示すように、押しボタンにより構成されている。ここで、受信装置ボタン１３は、送信装置１を登録する際に操作される。また、図２に示すように、送信装置１と受信装置１０とは略同じ形状の筐体を使用しており、送信装置スイッチ４および受信装置スイッチ１２が各筐体上の略同じ場所に配置されているとともに、送信装置ボタン５および受信装置ボタン１３が各筐体上の略同じ場所に配置されている。
【００２２】
受信部１４は、送信装置１から送信された呼出信号や登録信号を受信するためのものである。受信装置スイッチ１２が入状態であっても切状態であっても、受信装置ボタン１３が押下されていれば、受信装置制御部１１は受信部１４を制御して、送信装置１から送信された登録信号を受信させる。受信部１４が登録信号を受信すると、受信装置制御部１１は、登録信号に含まれる識別情報を図示しない記憶装置に登録する。また、受信装置スイッチ１２が切状態である場合に、受信装置制御部１１は受信部１４を制御して、呼出信号の受信を停止させる。一方、受信装置スイッチ１２が入状態である場合には、受信装置制御部１１は受信部１４を制御して呼出信号を受信させる。ここで、受信装置制御部１１は、登録された送信装置１から送信された呼出信号のみを受信部１４に受信させる。
【００２３】
受信装置インターフェース１５は、有線にて接続されているウォールユニットＷと受信装置１０とを接続して通信を行うためのものである。ここで、受信装置インターフェース１５は、受信部１４が受信した呼出信号をウォールユニットＷに出力する。ウォールユニットＷは、このウォールユニットＷを他のウォールユニットＷと区別するためのウォールユニット識別情報（例えば、ベッド番号など）を入力した呼出信号に付加してナースコール親機２０へ出力する。
【００２４】
親機制御部２１は、ナースコール親機２０の各構成要素を後述するように制御するためのものであり、ＣＰＵなどにより構成されている。親機インターフェース２２は、ナースコール親機１０とウォールユニットＷとを有線にて接続して通信を行うためのものである。ここで、親機インターフェース２２は、ウォールユニットＷから出力された呼出信号を入力する。記憶部２３はメモリやハードディスクなどの記憶装置により構成されており、ウォールユニット識別情報と患者の氏名などを示す患者情報とを関連付けて記憶している。報知部２４は、スピーカやランプなどにより構成されており、患者からの呼び出しを報知するためのものである。親機インターフェース２２が呼出信号を入力すると、親機制御部２１は記憶部２３を参照して、呼出信号に含まれるウォールユニット識別情報に関連付けて記憶されている患者情報を抽出する。そして、親機制御部２１は、報知部２４を動作させて、抽出された患者情報によって特定される患者のベッドの近傍などに設置されている機器Ｓが患者の特定の状態を検出したことを報知するようにしている。なお、送信装置１に通常のナースコール子機（図示せず）を接続している場合には、ナースコール子機による報知も報知部２４にて行う。
【００２５】
次に、本実施形態によるナースコールシステムに使用される受信装置１０の受信装置スイッチ１２および受信装置ボタン１３と、送信装置１の送信装置スイッチ４および送信装置ボタン５との状態における呼出信号や登録信号の送受信の有無の状態を説明する。図３は、本実施形態によるナースコールシステムの動作例を示す図である。ここで、送信装置１は予め受信装置に登録されているものとする。
【００２６】
（１）受信装置スイッチ１２が入状態であり、受信装置ボタン１３が押下されていない場合、送信装置スイッチ４が登録側で、送信装置ボタンが押下されていないときには、機器Ｓが患者の特定の状態を検知すると、呼出信号が送信装置１および受信装置１０を介してウォールユニットＷに入力する。
【００２７】
（２）受信装置スイッチ１２が入状態であり、受信装置ボタン１３が押下されていない場合、送信装置スイッチ４が登録側で、送信装置ボタン５が押下されているときには、機器Ｓが患者の特定の状態を検知すると、呼出信号が送信装置１および受信装置１０を介してウォールユニットＷに入力するとともに、送信装置１の登録信号生成部６によって生成された登録信号が送信部７によって受信装置１０に送信される（受信装置１０が登録信号を受信しないため、登録は行われない）。
【００２８】
（３）受信装置スイッチ１２が入状態であり、受信装置ボタン１３が押下されていない場合、送信装置スイッチ４が通常側で、送信装置ボタン５が押下されていないときには、機器Ｓが患者の特定の状態を検知すると、呼出信号が送信装置１および受信装置１０を介してウォールユニットＷに入力する。
【００２９】
（４）受信装置スイッチ１２が入状態であり、受信装置ボタン１３が押下されていない場合、送信装置スイッチ４が通常側で、送信装置ボタン５が押下されているときには、所定の時間が経過するまで、機器Ｓが患者の特定の状態を検知しても、送信装置制御部２は送信部７に呼出信号を送信させない。
【００３０】
（５）受信装置スイッチ１２が入状態であり、受信装置ボタン１３が押下されている場合、送信装置スイッチ４が登録側で、送信装置ボタン５が押下されていないときには、機器Ｓが患者の特定の状態を検知すると、呼出信号が送信装置１および受信装置１０を介してウォールユニットＷに入力するとともに、受信装置１０では、送信装置１から送信される登録信号を受信できる状態となる（すなわち、送信装置１を登録可能な状態となる）。
【００３１】
（６）受信装置スイッチ１２が入状態であり、受信装置ボタン１３が押下されている場合、送信装置スイッチ４が登録側で、送信装置ボタン５が押下されているときには、機器Ｓが患者の特定の状態を検知すると、呼出信号が送信装置１および受信装置１０を介してウォールユニットＷに入力するとともに、受信装置１０では、送信装置１から送信される登録信号を受信できる状態となり、送信装置１では、登録信号生成部６によって生成された登録信号が送信部７によって受信装置１０に送信される。従って、この送信装置１が受信装置１０に登録される（本実施形態では、既に登録済みであるため、再度登録されることになる）。
【００３２】
（７）受信装置スイッチ１２が入状態であり、受信装置ボタン１３が押下されている場合、送信装置スイッチ４が通常側で、送信装置ボタン５が押下されていないときには、機器Ｓが患者の特定の状態を検知すると、呼出信号が送信装置１および受信装置１０を介してウォールユニットＷに入力するとともに、受信装置１０では、送信装置１から送信される登録信号を受信できる状態となる（すなわち、送信装置１を登録可能な状態となる）。
【００３３】
（８）受信装置スイッチ１２が入状態であり、受信装置ボタン１３が押下されている場合、送信装置スイッチ４が通常側で、送信装置ボタン５が押下されているときには、所定の時間が経過するまで、機器Ｓが患者の特定の状態を検知しても、送信装置制御部２は送信部７に呼出信号を送信させない。また、受信装置１０では、送信装置１から送信される登録信号を受信できる状態となる（すなわち、送信装置１を登録可能な状態となる）。
【００３４】
（９）受信装置スイッチ１２が切状態であり、受信装置ボタン１３が押下されていない場合、送信装置スイッチ４が登録側で、送信装置ボタン５が押下されていないときには、機器Ｓが患者の特定の状態を検知すると、送信装置制御部２は送信部７を制御して、呼出信号を送信するが、受信装置制御部１１は受信部１４を制御して、呼出信号の受信を停止させる。
【００３５】
（１０）受信装置スイッチ１２が切状態であり、受信装置ボタン１３が押下されていない場合、送信装置スイッチ４が登録側で、送信装置ボタン５が押下されているときには、機器Ｓが患者の特定の状態を検知すると、呼出信号が送信装置１および受信装置１０を介してウォールユニットＷに入力するとともに、送信装置１の登録信号生成部６によって生成された登録信号が送信部７によって受信装置１０に送信される（受信装置１０が登録信号を受信しないため、登録は行われない）。
【００３６】
（１１）受信装置スイッチ１２が切状態であり、受信装置ボタン１３が押下されていない場合、送信装置スイッチ４が通常側で、送信装置ボタン５が押下されていないときには、機器Ｓが患者の特定の状態を検知すると、送信装置制御部２は送信部７を制御して、呼出信号を送信するが、受信装置制御部１１は受信部１４を制御して、呼出信号の受信を停止させる。
【００３７】
（１２）受信装置スイッチ１２が切状態であり、受信装置ボタン１３が押下されていない場合、送信装置スイッチ４が通常側で、送信装置ボタン５が押下されているときには、所定の時間が経過するまで、機器Ｓが患者の特定の状態を検知しても、送信装置制御部２は送信部７に呼出信号を送信させない。また、受信装置制御部１１は受信部１４を制御して、呼出信号の受信を停止させる。
【００３８】
（１３）受信装置スイッチ１２が切状態であり、受信装置ボタン１３が押下されている場合、送信装置スイッチ４が登録側で、送信装置ボタン５が押下されていないときには、機器Ｓが患者の特定の状態を検知すると、送信装置制御部２は送信部７を制御して、呼出信号を送信するが、受信装置制御部１１は受信部１４を制御して、呼出信号の受信を停止させる。また、受信装置１０では、送信装置１から送信される登録信号を受信できる状態となる（すなわち、送信装置１を登録可能な状態となる）。
【００３９】
（１４）受信装置スイッチ１２が切状態であり、受信装置ボタン１３が押下されている場合、送信装置スイッチ４が登録側で、送信装置ボタン５が押下されているときには、機器Ｓが患者の特定の状態を検知すると、呼出信号が送信装置１および受信装置１０を介してウォールユニットＷに入力するとともに、受信装置１０では、送信装置１から送信される登録信号を受信できる状態となり、送信装置１では、登録信号生成部６によって生成された登録信号が送信部７によって受信装置１０に送信される。従って、この送信装置１が受信装置１０に登録される（本実施形態では、既に登録済みであるため、再度登録されることになる）。
【００４０】
（１５）受信装置スイッチ１２が切状態であり、受信装置ボタン１３が押下されている場合、送信装置スイッチ４が通常側で、送信装置ボタン５が押下されていないときには、機器Ｓが患者の特定の状態を検知すると、送信装置制御部２は送信部７を制御して、呼出信号を送信するが、受信装置制御部１１は受信部１４を制御して、呼出信号の受信を停止させる。また、受信装置１０では、送信装置１から送信される登録信号を受信できる状態となる（すなわち、送信装置１を登録可能な状態となる）。
【００４１】
（１６）受信装置スイッチ１２が切状態であり、受信装置ボタン１３が押下されている場合、送信装置スイッチ４が通常側で、送信装置ボタン５が押下されているときには、所定の時間が経過するまで、機器Ｓが患者の特定の状態を検知しても、送信装置制御部２は送信部７に呼出信号を送信させない。また、受信装置制御部１１は受信部１４を制御して、呼出信号の受信を停止させる。また、受信装置１０では、送信装置１から送信される登録信号を受信できる状態となる（すなわち、送信装置１を登録可能な状態となる）。
【００４２】
このように、受信装置１０の受信装置スイッチ１２が入状態である場合には、登録されている送信装置１から送信された呼出信号の受信が可能となる。一方、受信装置１０の受信装置スイッチ１２が切状態である場合には、呼出信号の受信が不可能となる。また、受信装置１０の受信装置ボタン１３が押下されていない場合には、送信装置１を登録することができない。一方、受信装置１０の受信装置ボタン１３が押下されている場合には、送信装置１を登録することができる。
【００４３】
また、送信装置１の送信装置スイッチ４が登録側である場合には、送信装置ボタン５が押下されていてもいなくても、機器Ｓが患者の特定の状態を検知すると、送信装置１は呼出信号を送信する。一方、送信装置１の送信装置スイッチ４が登録側である場合に、送信装置ボタン５が押下されると、登録信号の送信が行われる。また、送信装置スイッチ４が通常側である場合に、送信装置ボタン５が押下されていないときには、機器Ｓが患者の特定の状態を検知すると、送信装置１は呼出信号を送信する。一方、送信装置１の送信装置スイッチ４が通常側である場合に、送信装置ボタン５が押下されているときには、所定の時間が経過するまで、機器Ｓが患者の特定の状態を検知しても、送信装置制御部２は送信部７に呼出信号を送信させない。
【００４４】
以上詳しく説明したように、本実施形態によれば、ナースコール親機２０と有線接続された病室内のウォールユニットＷに接続され、登録された送信装置１から送信された呼出信号を受信してウォールユニットＷを介して呼出信号をナースコール親機２０に出力する受信装置１０と、病室内で使用される機器Ｓに有線接続され、これらの機器Ｓからの呼出信号を無線にて送信する送信装置１とを備える。そして、受信装置１０は、入状態（第一の状態）と切状態（第二の状態）との違いを視認可能な受信装置スイッチ１２が入状態である場合に送信装置１から送信された呼出信号を受信可能とし、切状態である場合に送信装置１から送信された呼出信号を受信できないようにする。また、送信装置１は、登録モード（第一の状態）と通常モード（第二の状態）との違いを視認可能な送信装置スイッチ４が登録側である場合に送信装置ボタン５が押下されたときには登録信号を送信し、通常側である場合に送信装置ボタン５が押下されたときには送信装置１から呼出信号が送信されることを一時的に停止するようにしている。また、受信装置１０は、受信装置ボタン１３が押下された場合に送信装置１から登録信号を受信すると、この送信装置１を登録するようにしている。
【００４５】
これにより、送信装置スイッチ４を通常側にして送信装置ボタン５を押下すると、この送信装置１に接続された機器Ｓから入力した呼出信号の送信が一時的に止められるので、複数の機器Ｓのうち、一部の機器Ｓの動作を一時的に無効にすることができる。また、受信装置スイッチ１２を切状態にすると、受信装置１０から呼出信号が出力されなくなるので、すべての機器Ｓの動作を無効にすることができる。
【００４６】
また、受信装置１０では、機器Ｓの動作を無効にする動作と機器Ｓの動作を有効にする動作とが受信装置スイッチ１２の状態によって容易に区別される。また、送信装置１では、機器Ｓの動作を一時的に無効にする動作を行うためのモードと機器Ｓの動作を有効にして送信装置１を受信装置１０に登録するためのモードとが送信装置スイッチ４の状態によって容易に区別される。また、機器Ｓの動作を無効にする動作については、受信装置スイッチ１２と送信装置スイッチ１３とが同じ状態になる。従って、医療従事者が機器Ｓの動作を無効にする動作と受信装置１０に送信装置１を登録する動作とを明確に区別して実施することができる。
【００４７】
なお、前述した実施形態では、受信装置スイッチ１２が切状態である場合でも、受信装置ボタン１３が押下されているときには、受信装置１０は送信装置１から送信された登録信号を受信することを可能としているが、これに限定されない。例えば、受信装置スイッチ１２が入状態である場合にのみ、受信装置ボタン１３が押下されているときに、受信装置１０が送信装置１から送信された登録信号の受信を可能とするようにしても良い。これにより、送信装置１を受信装置１０に登録する際には、受信装置１０の受信装置スイッチ１２と送信装置１の送信装置スイッチ４とが同じ状態となるため、医療従事者は機器Ｓの動作を無効にする動作と受信装置１０に送信装置１を登録する動作とを、より明確に区別して実施することができる。
【００４８】
また、前述した実施形態では、受信装置１０の筐体における受信装置スイッチ１２および受信装置ボタン１３の位置と送信装置１の筐体における送信装置スイッチ４および送信装置ボタン５の位置とを略同じ場所にしているが、これに限定されない。例えば、受信装置１０の筐体における受信装置スイッチ１２および受信装置ボタン１３の位置と送信装置１の筐体における送信装置スイッチ４および送信装置ボタン５の位置とを異なる場所にしても良い。ただし、受信装置スイッチ１２の第一の状態および送信装置スイッチ４の第一の状態と、受信装置スイッチ１２の第二の状態および送信装置スイッチ４の第二の状態とが各筐体の同じ方向であれば良い。
【００４９】
また、前述した実施形態では、受信装置１０は、受信装置スイッチ１２が切状態の場合に呼出信号の受信を停止しているが、これに限定されない。例えば、受信装置１０は、受信装置スイッチ１２が切状態の場合に、受信した呼出信号をウォールユニットＷに出力しないようにしても良い。
【００５０】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００５１】
１    送信装置
２    送信装置制御部
３    送信装置インターフェース
４    送信装置スイッチ
５    送信装置ボタン
６    登録信号生成部
７    送信部
１０    受信装置
１１    受信装置制御部
１２    受信装置スイッチ
１３    受信装置ボタン
１４    受信部
１５    受信装置インターフェース
２０    ナースコール親機
Ｓ    機器
Ｗ    ウォールユニット
【図１】
2011176778.tif 000003
【図２】
2011176778.tif 000004
【図３】
2011176778.tif 000005